(57)【特許請求の範囲】
【請求項１】
患者を寝かせた姿勢で入浴させるための装置であって、患者を寝かせた寝板を進入させるために進入部が開放している台板と、台板の左右側部より立ち上がる側板及び頭部が配置される進入部側に対して足元に当たる台板の端部に立ち上がる底板とを有する浴槽を具備し、進入部が上となり底板部が下となる状態に、台板を傾斜可能な支持手段により浴槽を支持し、上記傾斜状態において浴槽内へ水を張ることにより進入部に頭を向けた患者の入浴を可能とし、上記寝板の中央部を縦に走る凹溝に排泄物の排除を容易にする開口を設けるとともに、開口に対応する浴槽の底部には患者の背部に対して湯水を噴射することができる水噴射口を設け、浴槽の底隅部に集まる汚水の除去を行える槽内開口部を有する排水口を傾斜状態で最低位置となる台板の端部近傍に設けたことを特徴とする傾斜入浴装置。
【請求項２】
寝板は、台板上への進入及び台板上から進入部外方への退出を容易にするための移動手段を有している請求項１記載の傾斜入浴装置。
【請求項３】
寝板に寝かされて傾斜状態にされる患者のずれ止めともなる止め板が浴槽内に供給する湯水が直接患者に及ばないようにするための止め板を兼ねている請求項１記載の傾斜入浴装置。
【請求項４】
浴槽の少なくとも側板は透明部分を有している請求項１記載の傾斜入浴装置。
【発明の詳細な説明】
【０００１】
【発明の属する技術分野】
本発明は、患者を寝かせた姿勢で入浴させるための傾斜入浴装置に関するものである。
【０００２】
【従来の技術】
従来の浴槽は形態の差はあれ基本的には直方体といって良い。この底が平らな深い浴槽では、寝かせた姿勢のまま入浴させることができないため、介護を必要とする寝たきりの患者などを入浴させるには大変な困難が伴う。例えば、患者の上半身を無理しても起こさなければ、頭部を水面より上にした姿勢をとることができないので、そのために、硬くなった関節や筋肉を動かすことで苦痛を与えることになり、またそのような世話をしなければならないものの苦労も単純ではないからである。
【０００３】
さらに上半身を起こした姿勢で入浴中の患者が意識を失った場合、前傾して顔面を水につけ、窒息するおそれもある。このように、考えられる危険に対して、介護する者の立場になった場合にも、深くて底の平らな従来の浴槽では手が届きにくいとか、或いは洗髪などの作業は、入浴とは別にしなければならないというような問題があった。
【０００４】
また浴槽が深いために起こる問題も多い。一つは水圧の影響を無視できない点である。心臓疾患のある者や筋力の弱った者の内臓に水圧は負担となるし、湯温によって負担がさらに高まった場合の影響については予測することができない。浴槽が深いということは湯量も多い、ということである。患者の状況を考えると入浴中に排泄が起こることも考慮しなければならないが、湯量が多いことは入れ換えに時間がかかるため、十分清浄な環境を準備できないことにつながり易い。
【０００５】
【発明が解決しようとする課題】
本発明は前記の点に鑑みなされたものであって、その課題は患者を寝た姿勢のまま入浴させることができ、かつ、より少ない湯量での入浴が可能となる、優位性の多い傾斜入浴装置を提供することである。寝た姿勢という場合、上半身と下半身が一直線とならない姿勢は腰に負担がかかるので避けるべきである。
【０００６】
【課題を解決するための手段】
前記の課題を解決するため本発明は、患者を寝かせた寝板を進入させるために進入部が開放している台板と、台板の左右側部より立ち上がる側板及び頭部が配置される進入部側に対して足元に当たる台板の端部より立ち上がる底板とを有する浴槽を具備し、進入部が上となり底板部が下となる状態に、台板を傾斜可能な支持手段により浴槽を支持し、上記傾斜状態において浴槽内へ水を張ることにより進入部に頭を向けた患者の入浴を可能とし、上記寝板の中央部を縦に走る凹溝に排泄物の排除を容易にする開口を設けるとともに、開口に対応する浴槽の底部には患者の背部に対して湯水を噴射することができる水噴射口を設け、浴槽の底隅部に集まる汚水の除去を行える槽内開口部を有する排水口を傾斜状態で最低位置となる台板の端部近傍に設けるという手段を講じたものである。
【０００７】
【発明の実施の形態】
本発明に係る傾斜入浴装置は、患者を寝かせたままの姿勢で入浴させることを可能とする。患者を寝かせた姿勢で浴槽内へ配置するために、患者は寝板上に寝かせられる。寝板は患者を横たわらせることができ、かつ台板上への進入、台板上からの退出に適した移動容易化のための手段を有する。この手段は例えば車輪やベアリング、或いは摩擦を低下させる点状又は線状の突起などによっても構成することができる。
【０００８】
本装置は浴槽を具備する。この浴槽は、患者を寝かせた寝板を進入させるために進入部が開放している台板と、台板の左右側部より立ち上がる側板と、頭部が配置される進入部側に対して足元に当たる寝板の端部に立ち上がる底板とを有する。従って台板と底板とそれらの左右に位置する側板から成る浴槽は側面から見て三角形又はそれに近い形態を持つということができる。図１下部参照。また浴槽はその全部又は一部を透明とすることが介護上好ましい結果をもたらす。
【０００９】
浴槽は、進入部が上に位置し底板部が下に位置するように台板が傾斜した状態を取る。つまり浴槽は、台板を傾斜可能な支持手段により支持される。このような支持手段は、支持方法と傾斜方法が全く別の方式のものから成り立っていても良い。例えば軸と軸受けから成る支持部と、ピストンシリンダー装置から成る傾斜部によって傾斜可能な支持手段を構成することができる。実施例はこの例示である。これに対して、例えばピストンシリンダー装置だけで支持部と傾斜部とを兼ねる構成を持つことも可能である。
【００１０】
台板は進入部が寝板を進入させるために開放しているので、湯を入れることはできないが、傾斜状態においては、底板と交叉する台板の端部が最も低くなるので、底板と台板及び左右の側板で囲まれた部分が湛水空間となる。よって、進入部に頭を向けさせて寝た姿勢で患者を入浴状態にすることができる。図４参照。寝板に寝かされて傾斜状態にされる患者のずれ止めともなる止め板を、当該状態にある患者の足元に配置することができる。止め板は文字通りの板である必要はない。このような止め板は浴槽内に供給する湯水が直接患者に及ばないようにするための止め板即ち整流手段としても利用可能である。またこの傾斜状態で最低位置となる台板の端部かその付近に排水口が設けられる。
【００１１】
【実施例】
以下図示の実施例を参照して本発明を詳細に説明する。図１は傾斜入浴装置とその関連装置の例示であり、傾斜入浴装置１０は浴槽１１と、これを傾斜可能に支持した支持手段１２と、設置のための基台１３とから成る。
【００１２】
浴槽１１は、患者Ｐを寝かせたまま寝板１４を進入させ、収納することができる台板１５を有しており、台板１５はそのために前後方向に細長く、かつ進入部１６が開放した構成を有する。また浴槽１１は台板１５の左右から立ち上がる一対の側板１７、１７を有し、さらに、患者の足元に当たる台板１５の端部から立ち上がる底板１８を有している。台紙１５と底板１８は交わって、傾斜時最も低い位置を取る底隅部１９を形成し、台板１５の進入部付近から底板１８の上端部にかけてを左右の側板１７、１７が囲んでいるので、浴槽１１は側面から見ると略三角形となり、その台板部の先端に進入部１６が突出している形態を取る。
【００１３】
台板１５の上面には、寝板１４の進入のためのガイド２１が設けられており、その内方端に患者Ｐの下方へのずれ止めとなる止め板２２が設けられている。止め板２２は、底板１８に設けられた供給口２３から浴槽内に導入される、湯水のガイド板２４の先方に位置して湯水を底隅部１９から満たして行くための一種の整流手段としての機能をも果たす。浴槽１１からの排水口２５は底隅部１９に設けられている。排水口２５の槽内開口部はガイド板２４から導かれる湯水の供給路にも当たっており、この部分に集まる汚れの除去を効果的に行えるようになっている。
【００１４】
寝板１４について言及すると、これは移動手段２６としての小車輪を有しており、浴槽内への進入及びそこからの退出を円滑かつ容易に行なうことができる。また患者の頭部は高低２種の位置で支えられるように凹部２７が設けてあり（図２）、高くできる標準的な状態から、低めて洗髪を容易に行える状態に変えられるように図られている。
【００１５】
このような構成を有する浴槽１１の支持手段１２は、台板１５の下部に設けられた、軸２８と軸受２９とから成る支持部３０と、ピストンシリンダー装置から成る傾斜部３１とを有する。傾斜角度を検出するためのセンサー３２が患者頭部が水面上にあることを常時検出するために設けられ、警告手段に接続されるとともに、検出が持続しているときには支持手段１２や排水手段（２５）に情報をフィードバックして患者頭部よりも水面水位が低くなるようにコントロールする。
【００１６】
また、浴槽１１を乗せている基台１３は、レール３３と車輪３４で示された移動手段３５によって移動可能とされることが望ましい。共用のレール３３と車輪３３′を有する移動手段３５を備えた可動病床装置４０は傾斜入浴装置１０と共に使用される。
【００１７】
同装置４０は、Ｘ型の昇降機構４１で台車４２に寝台４３を支持しており、昇降機構４１は手動ハンドルで示された操作部４４の操作により減速機構を介して上昇又は下降を行なう。寝台４３には前記した寝板１４が移動手段２６によって乗り込み、かつ係止手段によって固定される。図中、４５は寝台左右の両側に設けられたずれ止め部、４６は床枠に設けられた手押し部、４７は操作盤、４８は湯沸かし器、４９は温風ヒーターを示す。
【００１８】
故に水平にした入浴装置１０の進入部１６に病床装置４０を移動させてその端部を突き合わせるようにしてから、患者Ｐを仰向けに寝かせたまま寝板１４を、図１に鎖線で示すように入浴装置１０の台板上へスライドさせ、所定位置に定置する。定置時に寝板１４を入浴装置１０とロックさせ逆戻りを防止することも状況によっては必要である。
【００１９】
次いで浴槽１１を湯量が最大となる位置まで傾斜させ、その位置で停止状態として、必要によりロックをかけ、さらに浴槽１１に水を張る（図４）。患者Ｐは寝板１４に傾斜状態で寝ているので、水圧は胸部に殆んどかからず腹部でも僅かである。洗髪は枕を外し、凹部２７に頭をおとすことで極く容易に行なうことができる。特に傾斜していることにより底が浅く、介護者の手を延ばさなければならない距離が短くなり、最深部は排水口２５であるから汚物の排出も迅速に行なえる。また湯水の供給は供給口２３以外からも行なえ、シャワー５０を使うこともできる。
【００２０】
なお、排泄対策の一つとして、寝板１４の中央部を縦に走る凹溝５１があり、かつそこにはやや大きめの開口５２が設けてあって排泄物の排除を容易化している。開口５２に対応する浴槽１１の底部には水噴射口５３が設けてあり、特に腰部付近の患者Ｐの背部に対して水を噴射することができるようにされている。噴射される水は上記の開口５２を通過する。水噴射口５３には下部ダクト５４から湯水が供給される。
【００２１】
湯水の使用量は本発明に係る三角型浴槽１１の本発明の場合、従来の直方体型浴槽の半分以下で済み、従って、頻繁に水を入れ替えることができるので清潔さを保持し易く、入浴効果も向上する。さらに入浴後は水抜きをして、温風ヒーター４９より温風を浴槽１１に導入し、保温と乾燥に役立てることができる。この際、患者の顔及び頭部を除くカバー（透明のものが良い。）を浴槽１１にかぶせると、より効果的である。
【００２２】
【発明の効果】
本発明は以上の如く構成されかつ作用するものであるから、浴槽内へ患者を入れることが寝板の移動によって容易に行なわれ、寝た姿勢のままで良いので患者の腰に負担をかけず、浴槽内に水を張るために必要な水量が少なくて済むために満水までの時間や水の入れ替えが早くなり、排泄に早く対応することができ、水圧は足部では高いが上半身では非常に低いため身体的負担が少なくて済み、介護者にとってもより少ない負担で入浴作業を終えることができ、設備や使用上の諸掛りも低くて済むので家庭内等個人的な使用にも適する。また本発明によれば、台板の上面の内方端に患者の下方へのずれ止め板を設けたので、患者を安定させるとともに、浴槽内に供給される湯水が直接患者に及ばないようにすることができ、かつ、台板の端部近傍に設けた排水口を有するので、浴槽の底隅部に集まる汚れの除去を効果的に行なうことができるようになる。
【図面の簡単な説明】
【図１】本発明に係る傾斜入浴装置の実施例を示す側面説明図。
【図２】浴槽内における患者頭部の位置を示す横断面図。
【図３】本発明に関係する装置全体の平面配置図。
【図４】患者を入浴させている状態を示す側面説明図。
【図１】
0003812876.tif 000002
【図２】
0003812876.tif 000003
【図３】
0003812876.tif 000004
【図４】
0003812876.tif 000005